(57)【要約】【課題】  １年のそれぞれの月に咲く代表的な花を花園状にした花ごよみで当月を表示し、当日は画面の中部に日捲りで当曜日とともに文字で表示し、これらと連動してその日の予定用件も表示される。このカレンダーから当日とその関連情報を知りながら装飾品として美観を楽しむことができる。【解決手段】  表示板に少なくとも静止画による花ごよみが画像表示されるとともに、さらに日付及び曜日も表示され、その日付の変更にともなってその日の予定用件も記憶された情報により自動表示されることを特徴とする。【選択図】図１
2007171151.tif 000002
【特許請求の範囲】
【請求項１】
表示板に少なくとも静止画による花ごよみが画像表示されるとともに、さらに日付及び曜日も表示され、その日付の変更にともなってその日の予定用件も記憶された情報により自動表示されることを特徴とする日捲りカレンダー。
【発明の詳細な説明】
【技術分野】
【０００１】  本発明は画面にその月を示す花ごよみ、暦日、曜日、予定用件を文字とともに自動静止画で表示する日捲りカレンダーに関する。
【背景技術】
【０００２】  従来のカレンダーは七曜表に配列した日を月ごとに表記されている。この七曜表により、過ぎた日とこれからの日を同時に見て吉凶禍福の多様な事柄が付随していることを思い起こすことができる。しかし、今日は何日であるかについては他の情報から知ることになる。また、暦日の日捲りカレンダーは前日ページを取り除く不便さがあり普及度は少ない。これらのカレンダーは紙を材料とし１年限りのため毎年の取り付けの手間と費用を要し、さらに、省資源対策として使用年数の多年化が求められている。また、他のカレンダーは液晶表示装置や卓上時計と組合わせた機械式の表示装置で、花ごよみや予定表はなく、薄型、輝度などにおいて吊下げ型などの利用には不向きであった。【０００３】なお、関連技術に下記物件もある。
【特許文献１】特開平５−２６４７５８号公報
液晶材を樹脂基板で挟持してなる液晶表示素子によって年、月、日、曜日とともに図情報に関する情報を表示することを特徴とした電子式カレンダである。【特許文献２】実開平５−９０５３３号公報
殻体は、表面に日、月、週及び時間等の表示を示すための観察窓が設けられ、その内部は中空であり、内部フレームは日、月、週等のルーズ・リーフ・セット及びフレーム本体からなり、駆動装置は週、日、月、等の駆動セット及び固定板から成り、時計制御装置は時計、回転接触ピース及び制御基板から成り、電池セットは、全体の回路に電源を供給する、万年暦の構造である。
【発明の開示】
【発明が解決しようとする課題】
【０００４】  以上に述べた従来のカレンダーはカレンダー情報を文字、記号などで印刷もしくは液晶画面により表示されている。このカレンダーの形式は月ごとの暦日を七曜表に配列され絵や写真と組合わせたりメモ欄を設けるなどの構成となっている。これらの一般的なカレンダーは手動の月捲りであること、メモ欄は記入と見るときにカレンダーに接近を要すること、当日が自動表示されていないこと、などの不便さがあった。【０００５】  また、特許文献１では液晶画面に月ごとのカレンダー情報と景色を組合わせた液晶カレンダーであり当日の表示及び予定表はなく、輝度及びコントラストに問題があった。
特許文献２では観察窓に月、日、曜日及び時間を自動表示する万年暦の構造であり、電池時計との組合わせたものである。従って、この万年暦の構造は卓上型で予定表がなく文字のみであった。【０００６】  本発明では上記問題を解決するために１年のそれぞれの月に咲く代表的な花を花園状にした花ごよみで当月を表示し、当日は画面の中部に日捲りで当曜日とともに文字で表示し、これらと連動してその日の予定用件も表示される。このカレンダーから当日とその関連情報を知りながら装飾品として美観を楽しむ、ことも目的とするものである。
【課題を解決するための手段】
【０００７】  本発明は上記課題を解決するために表示板に少なくとも静止画による花ごよみが画像表示されるとともに、さらに日付及び曜日も表示され、その日付の変更にともなってその日の予定用件も記憶された情報により自動表示されるものである。
【発明の効果】
【０００８】  本発明は上記構成から成り以下に示す効果が期待できる。
１、当日を示す文字は自動日捲りで大きめに表示され容易にその日を知ることができる。
２、月を表現する鮮やかな花ごよみを自動表示させて画像美と当月が一体となっている。
３、予定表は登録された当日の予定用件と常時表示の備忘用件が表示され安心感がある。
４、通常のカレンダーは１年限りで更新されるが本カレンダーは多年に亘り使用できる。
５、ディスプレイは自発光で見易さ、超低消費電力、高輝度、薄型化などの特徴がある。
【発明を実施するための最良の形態】
【０００９】  以下、本発明の実施の形態を図面を参照して説明する。図１に示すようにこの日捲りカレンダー１の正面図で、表示板２、花ごよみ３、当日４、当曜日５、予定表６を設けている。画像表示の表示板２は電子輸送層、発光層、正孔輸送層から構成された有機薄膜層を両側から電極で挟んだ構造となり、発光現象としては電極間に電圧をかけて発光層でのエネルギー状態を基底状態から励起状態に押し上げて蛍光やリン光の発光を生じさせている。この発光材料は発光効率、成膜性、キャリアの輸送性などが良いことが求められ、ドーピング法による低分子系やウエットプロセスでできる高分子系の有機エレクトロルミネッセンス（ＥＬ）があり、ガラス又は樹脂基板上の外周部もしくは全面に同時搭載され、シート状、あるいは板状に形成される。このディスプレイのカラーには金属マスクを用いて必要な部分にのみ発光層になる色素材料を順次蒸着したエリアカラー、及びフルカラーでは三原色（赤Ｒ、緑Ｇ、青Ｂ）をそれぞれ独立して駆動し発光させる３色発光方式、白色発光とＲ、Ｇ、Ｂカラーフィルターを組合わせたカラーフィルター方式、その他色変換方式などもある。また、高分子系若しくはカラー・フレキシブル有機ＥＬの薄膜形成には塗布や印刷などにより成膜された電子ディスプレイも利用できる。電源はペーパー形やプレート形などの電池あるいは家庭用電源などを使用する。これらは、高輝度、低消費電力、薄型などの利点があり、経済的で画像処理技術の良質なディスプレイが利用される。【００１０】  花ごよみ画像の当月３は１月から１２月のそれぞれの月に咲く花を花園状の画像にし、その花ごよみから当月を知ることができる。この月ごとの画像はメモリに記憶した自動静止画により表示される。なお、花ごよみは月ごとに開花中の花の中から、例えば、６月はアジサイ、７月はダリア、８月はヒマワリなどが選定される。なお、カレンダーの外周形状は長方形に限らず、楕円形、花弁状もしくは他の形状でもよい。なお、当月を示す対象物の形状は花ごよみのほか乗物、動物、天体などでもよい。【００１１】  画面中部の円状枠内表示の当日４は１日から３１日の暦日の数字を黒色で記憶されている自動静止像により表示され、当日が例えば２３日であれば２３の数字で表示される。さらに、字体は表示板の中部に大きめにし高齢者でも容易に見ることができ、さらに離れたところからも見やすくなっている。当曜日５は当日に隣接して自動静止画で日曜日から土曜日までの７曜日を相違する７色の色彩で表示される。その７曜日の色彩は日曜日と祝日は赤色、月曜日は黄色、火曜日は橙色、水曜日は水色、木曜日は緑色、金曜日はペールオレンジ、土曜日は青色などで曜日の文字、または、文字の円状枠内の余白面に着色される。【００１２】  予定表６は当日４と連動して表示され、事前にメモリの記憶とリモコンで登録されている予定用件のデーターから当日に関する用件のみ自動表示し、その日付が変わると消去される。例えば、敬老の日、美術館１０時、友人会食１８時などである。なお、予定表６の一部に常時表示されている備忘欄はリモコン操作で登録を随時手動で行なう。例えば、親の電話０１−２３４５−６７８９、救急車１１９、旅行１０月１０日〜２０日な���を表示し不要になった用件は消去する。また、画面の外周部に接して額縁状のマグネット粘着部を設けて書類などをマグネットやマグネットクリップで添付してもよい。【００１３】  図２はリモコン７の正面図であり、画面８、文字キー９、機能キー１０を設け、カレンダー１の予定表６へ文字の登録をするために使用される。画面８はメニュー表示から入力の項目を選択し、登録内容を各キーの操作により作成して、登録キーの押圧により予定表に登録される。登録し保有されている用件を確認するときは確認キーを押圧することにより画面８に表示される。なお、このリモコンの提案は１例を示したものであり、識別符号の信号に特殊の機能をもたせた携帯電話、テレビジョンリモコンなどの機種を利用することも可能である。【００１４】  以上のとおり本発明の説明をしたがこれらのほか次の方式でもよい。表示板２は有機エレクトロルミネッセンス（ＥＬ）の方式について記載しているが、例えば、画素スイッチ用トランジスタ及び周辺回路が液晶パネルと同一のガラス基板上に一体形成されたポリシリコン薄膜トランジスタ（ＴＦＴ）の液晶ディスプレイ、あるいは棒状分子の層状構造をもち、お互いの層の分子配列方向がらせんピッチに応じて光を選択的に反射して色を表示させるコレステリック液晶電子ディスプレイもあり、これらの照明は透過型などのバックライト方式、バックライト不要の反射型、有機ＥＬなどの発光材を内蔵した方式などでもよい。さらにマイクロカプセルを上部樹脂基板に印刷方式でコーティングした前面板とガラス基板であるＴＦＴ背面板にラミネート接着して形成されたマイクロカプセル電気泳動方式、プラズマ放電する極小蛍光ランプをマトリクス状に配置して構成したプラズマディスプレイなどもあり、これらは、薄型、高輝度、低消費電力が可能のためカレンダー表示装置として使用することが有効である。これまでの説明のほかにも電界放射ディスプレイ（ＦＥＤ）、蛍光表示管（ＶＦＤ）、発光ダイオード（ＬＥＤ）などの方式もあり本発明のカレンダー画像表示に適応した機能であればその他の方式でもよい。
【図面の簡単な説明】
【００１５】
【図１】本発明の日捲りカレンダーの正面図である。
【図２】リモコンの正面図である。
【符合の説明】
【００１６】１、  日捲りカレンダー
２、  表示板
３、  当月
４、  当日
５、  当曜日
６、  予定表
７、  リモコン
８、  画面
９、  文字キー
１０、機能キー
【図１】
2007171151.tif 000003
【図２】
2007171151.tif 000004